(57)【特許請求の範囲】
【請求項１】
送信装置により、所定間隔で複数伝送される垂直同期信号と第１及び第２のパターンの水平同期信号と共に、所望の情報を暗号化して送信し、受信装置により受信信号中の前記垂直同期信号及び前記水平同期信号を検出し、暗号化された前記所望の情報を暗号解読する情報伝送方式であって、
前記送信装置は、
入来する信号から前記垂直同期信号及び前記水平同期信号を検出する第１の検出手段と、
前記第１の検出手段にて検出された前記水平同期信号に応じて第１の擬似ランダム信号を発生する第１の擬似ランダム信号発生手段と、
前記第１の擬似ランダム信号に基づいて前記水平同期信号区間毎に異なる暗号鍵を生成し、前記第１の検出手段が前記垂直同期信号を検出する毎に第１の記憶器と第２の記憶器とのいずれかに暗号鍵を書き込み、前記第１の検出手段が前記第１のパターンの水平同期信号を検出するか前記第２のパターンの水平同期信号を検出するかによって、前記第１の記憶器に記憶された暗号鍵と前記第２の記憶器に記憶された暗号鍵とを選択し、この選択した暗号鍵を用いて前記所望の情報を暗号化して、暗号化された前記所望の情報を前記垂直同期信号及び前記水平同期信号と共に送出する暗号化手段とを有し、
前記受信装置は、
前記受信信号中から前記垂直同期信号及び前記水平同期信号を検出する第２の検出手段と、
前記第２の検出手段にて検出された前記水平同期信号に応じて第２の擬似ランダム信号を発生する第２の擬似ランダム信号発生手段と、
前記第２の擬似ランダム信号に基づいて前記水平同期信号区間毎に異なる暗号鍵を生成し、前記第１の検出手段が前記垂直同期信号を検出する毎に第１の記憶器と第２の記憶器とのいずれかに暗号鍵を書き込み、前記第１の検出手段が前記第１のパターンの水平同期信号を検出するか前記第２のパターンの水平同期信号を検出するかによって、前記第１の記憶器に記憶された暗号鍵と前記第２の記憶器に記憶された暗号鍵とを選択し、この選択した暗号鍵で前記受信信号中の暗号化された前記所望の情報を暗号解読する復号化手段とを有する
ことを特徴とする情報伝送方式。
【請求項２】
所定間隔で複数伝送される垂直同期信号と第１及び第２のパターンの水平同期信号と共に、所望の情報を暗号化して送信する送信装置であって、
入来する信号から前記垂直同期信号及び前記水平同期信号を検出する検出手段と、
前記検出手段にて検出された前記水平同期信号に同期した線形シフトレジスタのシフト動作により擬似ランダム信号を発生する擬似ランダム信号発生手段と、
前記擬似ランダム信号に基づいて前記水平同期信号区間毎に異なる暗号鍵を生成し、前記検出手段が前記垂直同期信号を検出する毎に第１の記憶器と第２の記憶器とのいずれかに暗号鍵を書き込み、前記検出手段が前記第１のパターンの水平同期信号を検出するか前記第２のパターンの水平同期信号を検出するかによって、前記第１の記憶器に記憶された暗号鍵と前記第２の記憶器に記憶された暗号鍵とを選択し、この選択した暗号鍵を用いて前記所望の情報を暗号化して、暗号化された前記所望の情報を前記垂直同期信号及び前記水平同期信号と共に送出する暗号化手段と
を有することを特徴とする送信装置。
【請求項３】
前記擬似ランダム信号発生手段が発生する前記擬似ランダム信号に基づき初期値を生成する初期値生成手段を更に備え、
前記暗号化手段は、前記初期値生成手段にて生成され、前記線形シフトレジスタのシフト動作毎に値が変化する前記初期値を用いて前記所望の情報の暗号化を開始することを特徴とする請求項２記載の送信装置。
【請求項４】
送信装置により送信された、所定間隔で複数伝送される垂直同期信号と第１及び第２のパターンの水平同期信号と、前記水平同期信号のパターンに応じて異なる暗号鍵で暗号化された所望の情報とからなる多重信号を受信し、その受信信号から前記垂直同期信号及び水平同期信号を検出し、暗号化された前記所望の情報を暗号解読する受信装置であって、
前記受信信号から前記垂直同期信号及び前記水平同期信号を検出する検出手段と、
前記検出手段にて検出された前記水平同期信号に同期した線形シフトレジスタのシフト動作により擬似ランダム信号を発生する擬似ランダム信号発生手段と、
前記擬似ランダム信号に基づいて前記水平同期信号区間毎に異なる暗号鍵を生成し、前記検出手段が前記垂直同期信号を検出する毎に第１の記憶器と第２の記憶器とのいずれかに暗号鍵を書き込み、前記検出手段が前記第１のパターンの水平同期信号を検出するか前記第２のパターンの水平同期信号を検出するかによって、前記第１の記憶器に記憶された暗号鍵と前記第２の記憶器に記憶された暗号鍵とを選択し、この選択した暗号鍵を用いて前記所望の情報を暗号解読する復号化手段と
を有することを特徴とする受信装置。
【請求項５】
前記擬似ランダム信号発生手段が発生する前記擬似ランダム信号に基づき初期値を生成する初期値生成手段を更に備え、
前記復号化手段は、前記初期値生成手段にて生成され、前記線形シフトレジスタのシフト動作毎に値が変化する前記初期値を用いて前記所望の情報の暗号解読を開始することを特徴とする請求項４記載の受信装置。
【発明の詳細な説明】
【技術分野】
【０００１】
本発明は情報伝送方式、送信装置及び受信装置に係り、特に任意の装置へ秘匿性を確保して任意のディジタル情報を伝送する情報伝送方式、送信装置及び受信装置に関する。
【背景技術】
【０００２】
任意の装置へ任意のディジタル情報を伝送する場合、一般的には図７に示すような信号フォーマットで伝送することが行われる。同図において、所定の伝送信号単位毎に伝送するディジタル情報であるデータ２の直前に、伝送情報の先頭ビットを識別するための同期ビット１を付加し、データ２の誤りを検出するためのパリティ３がデータ２の後ろに付加される。
【０００３】
しかし、このような信号フォーマットでディジタル情報（データ）を所定伝送信号単位で伝送した場合、フォーマットがわかってしまえばデータ２を誰でも盗聴などすることができる。従って、データ２の秘匿性確保のためデータ２を隠蔽するためには、暗号化するのが一般的である。この暗号化を行うに際して、最も良く使われる暗号にＤＥＳ（Data Encryption Standard）がある。ＤＥＳはブロック暗号であるため、伝送路に１ビットのエラーが生じてもブロック全体の例えば６４ビットがエラーになってしまい、訂正能力を著しく損なうといった不都合が生じる。
【０００４】
そこで、ビットエラーが生じ易い伝送路でディジタル情報を伝送するような用途ではＤＥＳのＯＦＢ（output feedback）モードを使用する。ＯＦＢモードでは、ＤＥＳの出力を次のブロックのＤＥＳ入力とすることによりＤＥＳ出力を擬似乱数とし、このＤＥＳ出力と伝送情報との排他論理和をとることにより、伝送情報を隠蔽しようとするものである（例えば、非特許文献１参照）。このように、暗号化を行って情報伝送を行う場合には、暗号鍵の送受、及び共有が必要となり、暗号鍵の送受、及び共有をするためには、複雑な演算を要する認証方式を使用するのが一般的である。
【０００５】
【非特許文献１】岡本龍明、山本博資著、「現代暗号」、初版、産業図書株式会社、１９９７年６月、ｐ．７３−７５
【発明の開示】
【発明が解決しようとする課題】
【０００６】
しかるに、従来の情報伝送方式では、暗号鍵の送受及び認証の方式などに複雑（高度）な演算を必要とするために、回路規模が大きな演算装置が必要であったり、演算に時間を要したり、認証時間が長くなるといった不都合が生じている。更に、秘匿性を高めるためには、頻繁に暗号鍵の更新を行うことが一般的であり、その都度、複雑な演算を有する認証方式を使用しなければならないといった不都合も生じている。また、ＤＥＳ−ＯＦＢモードでは、初期値を変えることでスクランブルパターンを変更する操作が行われるが、この初期値の変更にも、その都度、複雑な演算を要する認証方式を使用しなければならないといった不都合も生じている。
【０００７】
本発明は上記の点に鑑みなされたもので、安価に暗号鍵の更新を行うことができ、かつ、隠蔽能力の高い暗号化を行って情報を伝送し得る情報伝送方式、送信装置及び受信装置を提供することを目的とする。
【０００８】
本発明の他の目的は、頻繁に暗号鍵の更新を行うに際し、従来は切り替え情報を暗号化情報と共に伝送する必要があったものを、ストリーム情報から暗号鍵の切り替え情報を削除し、追加ビット無しに効率的に暗号鍵の切り替え情報を伝送し得る情報伝送方式、送信装置及び受信装置を提供することにある。
【課題を解決するための手段】
【０００９】
上記の目的を達成するため、第１の発明の情報伝送方式は、送信装置により、所定間隔で複数伝送される垂直同期信号と第１及び第２のパターンの水平同期信号と共に、所望の情報を暗号化して送信し、受信装置により受信信号中の垂直同期信号及び水平同期信号を検出し、暗号化された所望の情報を暗号解読する情報伝送方式であって、
送信装置は、入来する信号から垂直同期信号及び水平同期信号を検出する第１の検出手段と、第１の検出手段にて検出された水平同期信号に応じて第１の擬似ランダム信号を発生する第１の擬似ランダム信号発生手段と、第１の擬似ランダム信号に基づいて水平同期信号区間毎に異なる暗号鍵を生成し、第１の検出手段が垂直同期信号を検出する毎に第１の記憶器と第２の記憶器とのいずれかに暗号鍵を書き込み、第１の検出手段が第１のパターンの水平同期信号を検出するか第２のパターンの水平同期信号を検出するかによって、第１の記憶器に記憶された暗号鍵と第２の記憶器に記憶された暗号鍵とを選択し、この選択した暗号鍵を用いて所望の情報を暗号化して、暗号化された所望の情報を垂直同期信号及び水平同期信号と共に送出する暗号化手段とを有し、
受信装置は、受信信号中から垂直同期信号及び水平同期信号を検出する第２の検出手段と、第２の検出手段にて検出された水平同期信号に応じて第２の擬似ランダム信号を発生する第２の擬似ランダム信号発生手段と、第２の擬似ランダム信号に基づいて水平同期信号区間毎に異なる暗号鍵を生成し、第１の検出手段が垂直同期信号を検出する毎に第１の記憶器と第２の記憶器とのいずれかに暗号鍵を書き込み、第１の検出手段が第１のパターンの水平同期信号を検出するか第２のパターンの水平同期信号を検出するかによって、第１の記憶器に記憶された暗号鍵と第２の記憶器に記憶された暗号鍵とを選択し、この選択した暗号鍵で受信信号中の暗号化された所望の情報を暗号解読する復号化手段とを有することを特徴とする。
【００１０】
この発明では、送信装置において、暗号鍵及び初期値を伝送することなく、同期信号に同期して異なる暗号鍵で頻繁に暗号化された所望の情報を伝送することを特徴とする。この発明では、同期信号の種類に応じて異なる暗号鍵を用いるようにしているため、追加情報なしに任意の時点で同期信号の種類を切り替えることにより、暗号鍵を切り替えることができる。
【００１１】
また、上記の目的を達成するため、第２の発明の送信装置は、所定間隔で複数伝送される垂直同期信号と第１及び第２のパターンの水平同期信号と共に、所望の情報を暗号化して送信する送信装置であって、入来する信号から垂直同期信号及び水平同期信号を検出する検出手段と、検出手段にて検出された水平同期信号に同期した線形シフトレジスタのシフト動作により擬似ランダム信号を発生する擬似ランダム信号発生手段と、擬似ランダム信号に基づいて水平同期信号区間毎に異なる暗号鍵を生成し、検出手段が垂直同期信号を検出する毎に第１の記憶器と第２の記憶器とのいずれかに暗号鍵を書き込み、検出手段が第１のパターンの水平同期信号を検出するか第２のパターンの水平同期信号を検出するかによって、第１の記憶器に記憶された暗号鍵と第２の記憶器に記憶された暗号鍵とを選択し、この選択した暗号鍵を用いて所望の情報を暗号化して、暗号化された所望の情報を垂直同期信号及び水平同期信号と共に送出する暗号化手段とを有することを特徴とする。
【００１３】
また、上記の目的を達成するため、第３の発明の送信装置は、擬似ランダム信号発生手段が発生する擬似ランダム信号に基づき初期値を生成する初期値生成手段を更に備え、暗号化手段は、初期値生成手段にて生成され、線形シフトレジスタのシフト動作毎に値が変化する初期値を用いて所望の情報の暗号化を開始することを特徴とする。
【００１４】
また、上記の目的を達成するため、第４の発明の受信装置は、送信装置により送信された、所定間隔で複数伝送される垂直同期信号と第１及び第２のパターンの水平同期信号と、水平同期信号のパターンに応じて異なる暗号鍵で暗号化された所望の情報とからなる多重信号を受信し、その受信信号から垂直同期信号及び水平同期信号を検出し、暗号化された所望の情報を暗号解読する受信装置であって、受信信号から垂直同期信号及び水平同期信号を検出する検出手段と、検出手段にて検出された水平同期信号に同期した線形シフトレジスタのシフト動作により擬似ランダム信号を発生する擬似ランダム信号発生手段と、擬似ランダム信号に基づいて水平同期信号区間毎に異なる暗号鍵を生成し、検出手段が垂直同期信号を検出する毎に第１の記憶器と第２の記憶器とのいずれかに暗号鍵を書き込み、検出手段が第１のパターンの水平同期信号を検出するか第２のパターンの水平同期信号を検出するかによって、第１の記憶器に記憶された暗号鍵と第２の記憶器に記憶された暗号鍵とを選択し、この選択した暗号鍵を用いて所望の情報を暗号解読する復号化手段とを有することを特徴とする。
【００１６】
また、上記の目的を達成するため、第５の発明の受信装置は、擬似ランダム信号発生手段が発生する擬似ランダム信号に基づき初期値を生成する初期値生成手段を更に備え、復号化手段は、初期値生成手段にて生成され、線形シフトレジスタのシフト動作毎に値が変化する初期値を用いて所望の情報の暗号解読を開始することを特徴とする。
【発明の効果】
【００１７】
本発明によれば、同期信号の種類に応じて異なる暗号鍵を用いることにより、追加情報なしに任意の時点で同期信号の種類を切り替えることにより、暗号鍵を切り替えるようにしているため、秘匿性の高い情報伝送を実現することができる。
【００１８】
また、本発明によれば、同期信号の種類の切り替わりタイミングを適宜設定することにより、擬似ランダム信号のシーケンス解読をより困難なものとすることができる。
【発明を実施するための最良の形態】
【００１９】
次に、本発明を実施するための最良の実施の形態について、図面と共に説明する。図１は本発明になる情報伝送方式の一実施の形態の送信装置のブロック図、図２は本発明になる情報伝送方式で伝送する伝送信号の一実施の形態の信号フォーマット図、図３は本発明になる情報伝送方式の一実施の形態の受信装置のブロック図を示す。
【００２０】
まず、送信装置について図１と共に説明する。伝送しようとする入力信号（水平同期信号、垂直同期信号、ブランキング信号、映像データ等のストリームデータからなる信号）は、同期検出器１１に供給されて水平同期信号及び垂直同期信号が検出される。同期検出器１１の検出信号出力はＭ系列発生器１２及び６４ビットレジスタ１３にそれぞれ供給される。また、入力信号は後述する加算器１４に供給される。
【００２１】
ここで、上記のＭ系列発生器１２は、周知の線形シフトレジスタで構成された乱数発生器（擬似ランダム信号発生手段）であり、同期検出器１１から垂直同期信号検出信号が入力されてからブランキングエリア内ではシフト動作を停止しており、ブランキングエリア以降は、水平同期信号検出信号入力毎に６４ビットレジスタ１３と共に１ビットのシフトが行われる。なお、このＭ系列発生器１２は、初期状態では、予め伝送される、若しくは予め定められている初期値をロードした待機状態にある。
【００２２】
６４ビットレジスタ１３は、Ｍ系列発生器１２の出力信号を保持すると同時に、変換器１５、１６及び１７にそれぞれ保持している値を供給する。変換器１５、１６及び１７は、一方向性関数による変換器で、６４ビットレジスタ１３から供給された値を、それぞれ互いに異なる値に変換する。第１の変換器１５により変換して得られた値は、ＤＥＳの鍵として暗号鍵記憶器１８に一時記憶される。
【００２３】
上記のブランキングエリア内の最後の水平同期信号検出信号入力時に出力された６４ビットレジスタ１３の値は、第３の変換器１７により変換された後、後述する合成器２１にイニシャルベクタとして供給される。また、ブランキングエリア以後のストリームデータが伝送されるデータエリア期間では、水平同期信号検出毎にＭ系列発生器１２と６４ビットレジスタ１３の１ビットシフトが行われ、そのときの６４ビットレジスタ１３の値を変換する第２の変換器１６から出力された値が、イニシャルベクタとしてレジスタ１９に供給される。
【００２４】
レジスタ１９、暗号器２０及び加算器１４は、公知のＯＦＢモードの暗号化回路を構成しており、レジスタ１９から出力されるイニシャルベクタ（初期値）を最初のワードとして暗号器２０に供給して、暗号鍵記憶器１８からの暗号鍵を用いて暗号化し、暗号器２０の出力をレジスタ１９に戻して次のワードとして公知のＯＦＢモードを形成する一方、暗号器２０の出力を加算器１４に供給する。
【００２５】
これにより、同期検出器１１からの信号は、加算器１４で暗号器２０の出力信号と排他的論理和演算されることにより、水平・垂直同期信号及びブランキング信号を除く部分が暗号化されて取り出されて合成器２１に供給され、ここで変換器１７からのブランキングエリア内のイニシャルベクタと時系列的に合成される。
【００２６】
なお、同期検出器１１において垂直同期信号を検出することにより、フレームの先頭の検出が行われ、垂直同期信号に続くブランキングエリア内では、Ｍ系列発生器１２のシフト動作は停止される。
【００２７】
このようにして、合成器２１からは図２に示すような１フレーム（又は１フィールド）の信号フォーマットの伝送信号が取り出され、情報受信装置へ送信される。ここで、図２において、Ｖ同期２３は垂直同期信号を示し、Ｈ同期２４は水平同期信号を示す。また、ブランキングエリア２５内の最後の水平同期信号に続いて前記変換器１７から出力されたイニシャルベクタ２６が時系列的に合成されている。
【００２８】
また、データエリア２７のストリームデータは前述したように暗号化が施されるが、各水平同期信号区間毎に、先頭の水平同期信号（Ｈ同期）に基づき、Ｍ系列発生器１２及び６４ビットレジスタ１３がそれぞれ１ビットシフトされ、それに伴い変換器１６から出力されてＯＦＢモード暗号化回路に入力されるイニシャルベクタと、変換器１５から出力される暗号鍵も変更されるため、暗号器２０から出力される値も水平同期信号区間毎に別の値に変更される。
【００２９】
すなわち、本実施の形態によれば、データエリア２７のストリームデータは、水平同期信号区間毎に異なる暗号鍵で暗号化され、また、ブランキングエリア２５に同期検出のためのイニシャルベクタ２６を時系列的に合成した伝送信号を伝送し、暗号鍵の初期値（最初のワード）と暗号鍵そのものは伝送しない。なお、図２に示す伝送信号フォーマット中のパリティ２８は図１には図示しない誤り検査符号生成回路により、各水平同期信号区間の信号に基づいて生成されて付加される。
【００３０】
次に、受信装置について図３と共に説明する。受信装置は図１の送信装置と略同じ構成とされているが、比較器３８が付加されている点が異なる。図３において、図２に示した信号フォーマットの受信信号は、同期検出器３１に供給されて垂直同期信号及び水平同期信号の検出が行われ、その検出信号出力はＭ系列発生器３２及び６４ビットレジスタ３３にそれぞれ供給される一方、入力信号は後述する加算器３４に供給される。
【００３１】
ここで、Ｍ系列発生器３２は、送信側のＭ系列発生器１２と同一の構成であり、同期検出器３１から垂直同期信号検出信号が入力されてからブランキングエリア内ではシフト動作を停止しており、ブランキングエリア以降水平同期信号検出信号入力毎に６４ビットレジスタ３３と共に１ビットのシフトが行われる。もしも、データエリア内の同期未検出エラーが生じた場合は、次のフレームのブランキングエリアで、Ｍ系列発生器１２の規定個数のシフト動作を行い、常に、１フレームでのシフト回数が規定値になるよう補正する。つまり、１フレームでの水平同期信号検出毎に行われるＭ系列発生器１２のシフトの総数は既知の規定値であるので、この規定値でないときには、ブランキングエリア内でシフトを行って規定値となるように調整する。
【００３２】
６４ビットレジスタ３３は、Ｍ系列発生器３２の出力信号を保持すると同時に、変換器３５、３６及び３７にそれぞれその値を供給する。変換器３５、３６及び３７は、一方向性関数による変換器で、６４ビットレジスタ３３から供給された値を、それぞれ互いに異なる値に変換する。
【００３３】
ただし、変換器３５、３６及び３７は、送信側の対応する変換器１５、１６及び１７と同じ構成であり、変換器３５と変換器１５の出力変換値は同じ入力値に対して同じ値の変換値を出力し、同様に、変換器３６と変換器１６の出力変換値、変換器３７と変換器１７の出力変換値は、それぞれ同じ入力値に対して同じ値の変換値を出力する。第１の変換器３５により変換して得られた値は、ＤＥＳの鍵として暗号鍵記憶器３９に一時記憶される。
【００３４】
ここで、上記のブランキングエリア内の最後の水平同期信号検出信号入力時に出力された６４ビットレジスタ３３の値は、第３の変換器３７により変換されてイニシャルベクタとして生成されるが、Ｍ系列発生器３２は、送信側のＭ系列発生器１２と同一の構成であり、伝送エラーが無いときには、このイニシャルベクタの値は、同期検出器３１で検出された図２に示した信号フォーマットの受信信号中のイニシャルベクタ２６と同一の値となる。
【００３５】
そこで、本実施の形態では、上記の変換器３７から出力される受信装置で生成されたイニシャルベクタと、受信信号中から得られたイニシャルベクタ２６と同一の値であるか否か比較器３８で比較し、同一であれば、その後に得られる暗号鍵（復号鍵）は送信装置のものと同一であると判断できるので、以下説明する動作を継続するが、異なるときには暗号鍵（復号鍵）は送信装置のものと同一ではないと判断できるので、その旨を示す信号を送信装置へ送信すると共に、Ｍ系列発生器３２を初期リセットする。上記の送信信号により、送信装置内のＭ系列発生器１２も初期リセットされる。
【００３６】
比較器３８により同一の比較結果が得られた場合、受信信号のブランキングエリア以後のストリームデータが伝送されるデータエリア期間では、同期検出器３１による水平同期信号検出毎にＭ系列発生器３２と６４ビットレジスタ３３の１ビットシフトが行われ、そのときの６４ビットレジスタ３３の出力値を変換する第２の変換器３６から出力された値が、イニシャルベクタとしてレジスタ４０に供給される。
【００３７】
レジスタ４０、暗号器４１及び加算器３４は、公知のＯＦＢモードの暗号化回路を構成しており、レジスタ４０から出力されるイニシャルベクタ（初期値）を最初のワードとして暗号器４１に供給して、暗号鍵記憶器３９からの暗号鍵を用いて暗号化し、暗号器４１の出力をレジスタ４０に戻して次のワードとして公知のＯＦＢモードを形成する一方、暗号器４１の出力信号を加算器３４に供給する。
【００３８】
ここで、本実施の形態では送信装置と受信装置は、互いに同期させてイニシャルベクタを生成しているため、ＯＦＢモードの暗号化回路と復号化回路は送信装置と受信装置で図１、図３に示すように同じ構成となっている。これにより、同期検出器３１からの受信信号は、加算器３４で送信側と同じ暗号鍵と排他的論理和演算されることにより、暗号解読（復号化）されて取り出される。加算器３４から取り出された暗号解読されたストリームデータ及びパリティは、誤り検出器４２に供給されてパリティに基づき誤り検査されて出力される。
【００３９】
このように、本実施の形態によれば、フレーム（又はフィールド）期間毎にイニシャルベクタを伝送し、受信側でフレーム（又はフィールド）毎に生成したイニシャルベクタと受信イニシャルベクタとを比較して一致することを検査することで、送信側で生成された暗号鍵と受信側で生成される暗号鍵とが同じであることをフレーム（又はフィールド）毎に確認してから、フレーム（又はフィールド）のデータエリア内で受信側において暗号化回路の初期値（最初のワード）と暗号鍵を、水平同期信号区間毎に変換器３６と３５により送信側と各々同じ値を生成して水平同期信号区間毎に異なる暗号鍵で暗号化されたデータストリームを、暗号解読することができる。
【００４０】
また、データエリア内の同期未検出エラーが生じた場合は、本来はＭ系列発生器３２のシフト動作を行わない受信信号のブランキングエリアで、Ｍ系列発生器３２の規定個数のシフト動作を行い、常に、１フレームでのシフト回数が規定値になるよう補正する。これにより、同期未検出エラーによる送信側と受信側との非同期を防止している。
【００４１】
従って、本実施の形態によれば、暗号鍵と暗号化回路の初期値（最初のワード）を水平同期信号区間毎に異なる値に頻繁に変更することで隠蔽能力の高い暗号方式を提供でき、またそれらの暗号鍵と暗号化回路の初期値（最初のワード）は伝送せず、送信側と受信側とで同期して生成させるようにしているため、それらを伝送する場合の効率の悪さやアタッカーに暗号アタックの情報を与えることを防止でき、送信側と受信側との同期関係をチェックすることにより、効率の良い安価な暗号方式を提供できる。
【００４２】
次に、第２の発明を実施するための最良の実施の形態について、図面と共に説明する。図４は本発明になる情報伝送方式の他の実施の形態の送信装置のブロック図、図５は本発明になる情報伝送方式で伝送する伝送信号の他の実施の形態の信号フォーマット図、図６は本発明になる情報伝送方式の他の実施の形態の受信装置のブロック図を示す。各図中、図１、図２又は図３と同一構成部分には同一符号を付してある。
【００４３】
まず、送信装置について図４と共に説明する。同期検出器４５、暗号鍵記憶器４６、暗号鍵記憶器４７、暗号鍵選択器４８以外の動作は、図１に示した送信装置の動作と同一であるので省略する。図４において、伝送しようとする入力信号は水平同期信号、垂直同期信号、ブランキング信号、映像データ等のストリームデータからなる信号であるが、この実施の形態では、入力信号の同期信号については、垂直同期信号は上記の実施の形態と同様に１パターンであるのに対し、水平同期信号は上記の実施の形態とは異なり、２パターン（水平同期信号Ａ及び水平同期信号Ｂ）がある。
【００４４】
同期検出器４５が入力信号から水平同期信号Ａを検出すると、その検出信号が供給される暗号鍵選択器４８は、暗号鍵記憶器４６の暗号鍵を選択して暗号器２０に供給し、暗号器２０は、公知のＯＦＢモードにて暗号ストリームを発生し、その出力を加算器１４に供給する。これにより、同期検出器４５からの信号は、加算器１４で暗号器２０の出力信号と排他的論理和演算されることにより、水平・垂直同期信号及びブランキング信号を除く部分が暗号化されて取り出されて合成器２１に供給され、ここで変換器１７からのブランキングエリア内のイニシャルベクタと時系列的に合成される。
【００４５】
同様に、同期検出器４５が入力信号から水平同期信号Ｂを検出すると、その検出信号が供給される暗号鍵選択器４８は、暗号鍵記憶器４７の暗号鍵を選択して暗号器２０に供給し、暗号器２０は、公知のＯＦＢモードにて暗号ストリームを発生し、その出力を加算器１４に供給する。これにより、同期検出器４５からの信号は、加算器１４で暗号器２０の出力信号と排他的論理和演算されることにより、水平・垂直同期信号及びブランキング信号を除く部分が暗号化されて取り出されて合成器２１に供給され、ここで変換器１７からのブランキングエリア内のイニシャルベクタと時系列的に合成される。
【００４６】
また、同期検出器４５は垂直同期信号を検出すると、暗号鍵記憶器４６若しくは暗号鍵記憶器４７に記憶命令を出力し、その時の変換器１５の出力値を記憶させる。暗号鍵選択器４８が暗号鍵記憶器４６の暗号鍵を選択している時は暗号鍵記憶器４７が、暗号鍵選択器４８が暗号鍵記憶器４７の暗号鍵を選択している時は暗号鍵記憶器４６が、新たな値を記憶する。
【００４７】
こうして、入力信号の水平同期信号Ａ、水平同期信号Ｂの配置を選ぶことにより、暗号鍵の切り替えポイントを自由に設定することができる。入力信号の水平同期信号Ａ、水平同期信号Ｂの配置の一例を図５に示す。同図中、図２と同一部分には同一符号を付し、その説明を省略する。図５において、Ｈ同期Ａ５１は水平同期信号Ａ、Ｈ同期Ｂ５２は水平同期信号Ｂを示し、データエリア５３はブランキングエリア２５以外の水平同期信号Ａ又はＢに続くエリアに設けられる。ブランキングエリア２５においては、上記の実施の形態と同様に、６４ビットレジスタ１３の値は更新されず、映像信号の暗号化も行われない。
【００４８】
この実施の形態では、垂直同期信号を同期検出器４５が検出した時点で、２つの暗号鍵記憶器４６及び暗号鍵記憶器４７のどちら側の記憶器に変換器１５からの暗号鍵を書き込むかについては、その時の暗号鍵選択器４８が２つの暗号鍵記憶器４６及び暗号鍵記憶器４７のうち選択していない方の記憶器に書き込まれるため、両暗号鍵記憶器４６及び４７に交互に暗号鍵が書き込まれるとは限らない。また、水平同期信号パターン（水平同期信号Ａ、水平同期信号Ｂ）についても不定期で変化するため、得られる暗号鍵は不規則に変化する。
【００４９】
次に、受信装置について図６と共に説明する。同図中、図３と同一構成部分には同一符号を付してある。図６において、同期検出器５５、暗号鍵記憶器５６、暗号鍵記憶器５７、暗号鍵選択器５８以外の動作は、図３に示した受信装置の動作と同一であるので省略する。
【００５０】
図６において、受信信号は、前記送信装置と同様に同期検出器５５に供給されて水平同期信号Ａ、水平同期信号Ｂ及び垂直同期信号が検出される。水平同期信号Ａが検出されると、暗号鍵選択器５８は、暗号鍵記憶器５６の暗号鍵を選択して暗号器４１に供給し、暗号器４１は、公知のＯＦＢモードにて暗号ストリームを発生し、その出力を加算器３４に供給する。これにより、同期検出器５５からの信号は、加算器３４で暗号器４１の出力信号と排他的論理和演算されることにより、水平・垂直同期信号及びブランキング信号を除く部分が暗号読解されて取り出されて誤り検出器４２に供給され、パリティに基づき誤り検査されて出力される。
【００５１】
同様に、同期検出器５５により、水平同期信号Ｂが検出されると、暗号鍵選択器５８は、暗号鍵記憶器５７の暗号鍵を選択して暗号器４１に供給し、暗号器４１は、公知のＯＦＢモードにて暗号ストリームを発生し、その出力を加算器３４に供給する。これにより、同期検出器５５からの信号は、加算器３４で暗号器４１の出力信号と排他的論理和演算されることにより、水平・垂直同期信号及びブランキング信号を除く部分が暗号解読されて取り出されて誤り検出器４２に供給され、パリティに基づき誤り検査されて出力される。
【００５２】
また、同期検出器５５は垂直同期信号を検出すると、暗号鍵記憶器５６若しくは暗号鍵記憶器５７に記憶命令を出力し、その時の変換器３５の出力値を記憶する。暗号鍵選択器５８が暗号鍵記憶器５６の暗号鍵を選択している時は暗号鍵記憶器５７が、暗号鍵選択器５８が暗号鍵記憶器５７の暗号鍵を選択している時は暗号鍵記憶器５６が、新たな値を記憶する。こうして、図５のフォーマットのように自由に配置された水平同期信号Ａ、水平同期信号Ｂに基づいてデータエリア５３のデータの暗号が解読される。
【００５３】
本実施の形態によれば、２つの水平同期信号パターン（水平同期信号Ａ及び水平同期信号Ｂ）の切り替わりタイミングを適宜設定することにより、図４に示したＭ系列発生器１２のシーケンス解読をより困難なものにすることができる。
【００５４】
なお、以上の実施の形態では、暗号化回路及び暗号解読回路は、ＤＥＳのＯＦＢモードを採用していたが、本発明はこれに限定されるものではなく、通常のＤＥＳでもそれ以外の暗号方式でも初期値を使用するすべての暗号に適用可能である。
【００５５】
また、以上の実施の形態では、暗号鍵、暗号回路の初期値は、同期に更新される形態としたが、これに限定されものではなく、暗号鍵は、暗号鍵記憶部を有しているので、例えば、垂直同期信号の入来により更新し、暗号回路の初期値は、水平同期信号の入来により更新するというように、別々に更新することもできることはいうまでもない。
【００５６】
また、以上の実施の形態では、情報の送受信装置について説明したが、本発明はこれに限定されるものではなく、記録再生装置に用いることもできる。記録再生装置においては、再生装置において情報が暗号解読されずに出力されても、出力ストリームには、暗号鍵の切り替え情報が存在しないので、不正な再生装置で再生されてもより解読のむずかしい、安全な情報記録装置を提供することができる。
【図面の簡単な説明】
【００５７】
【図１】本発明方式の一実施の形態の送信装置のブロック図である。
【図２】本発明方式で伝送する伝送信号の一実施の形態の信号フォーマット図である。
【図３】本発明方式の一実施の形態の受信装置のブロック図である。
【図４】本発明方式の他の実施の形態の送信装置のブロック図である。
【図５】本発明方式で伝送する伝送信号の他の実施の形態の信号フォーマット図である。
【図６】本発明方式の他の実施の形態の受信装置のブロック図である。
【図７】従来方式で伝送する伝送信号の一例の信号フォーマット図である。
【符号の説明】
【００５８】
１１、３１、４５、５５  同期検出器
１２、３２  Ｍ系列発生器
１３、３３  ６４ビットレジスタ
１４、３４  加算器
１５、１６、１７、３５、３６、３７  変換器
１８、３９、４６、４７、５６、５７  暗号鍵記憶器
１９、４０  レジスタ
２０、４１  暗号器
２１  合成器
２３  垂直同期信号（Ｖ同期）
２４  水平同期信号（Ｈ同期）
２５  ブランキングエリア
２６  イニシャルベクタ
２７  データエリア
３８  比較器
４８、５８  暗号鍵選択器
【図１】
0004729888.tif 000002
【図２】
0004729888.tif 000003
【図３】
0004729888.tif 000004
【図４】
0004729888.tif 000005
【図５】
0004729888.tif 000006
【図６】
0004729888.tif 000007
【図７】
0004729888.tif 000008